(57)【要約】【課題】  防水パッキングで覆われたスイッチ装置について、防水パッキングに触った際の違和感を少なくし、かつ、操作性をより向上することが可能なスイッチ装置の防水構造を得る。【解決手段】  防水パッキング２０を、可撓性および伸縮性に富む材質によって形成し、防水パッキング２０の組み付け時に操作部１１で防水パッキング２０の中央部を押し出して、その操作部１１の外側に防水パッキング２０を密接させることにより、防水パッキング２０と操作部１１との間の隙間が無くなり、防水パッキング２０の押圧力を直接に操作部１１に作用させることができるため、スイッチ１０の操作性を向上できるとともに、防水パッキング２０を取り付けた状態の外観性を向上することができる。【選択図】      図６
2007087830.tif 000002
【特許請求の範囲】
【請求項１】
操作部と当該操作部の中央部を揺動可能に支持するスイッチケースとを有し、操作部の揺動操作に応じてオン・オフされるとともに、ハウジングに形成した取付用開口部から操作部が表面側に露出した状態で設けられるスイッチと、
前記操作部の前記取付用開口部から露出した部分を覆うように設けられる可撓性の防水パッキングと、
を備え、
前記防水パッキングを伸縮性を有する材料で形成し、当該防水パッキングを、自由状態より伸張させ操作部の表面に密着させた状態で装着したことを特徴とするスイッチ装置の防水構造。
【請求項２】
前記防水パッキングの中央部に膨出部を設けるとともに、当該膨出部には、当該操作部に形成された角部に対応する隅部を設け、
前記膨出部の曲率半径を前記角部の曲率半径より大きくしたことを特徴とする請求項１に記載のスイッチ装置の防水構造。
【請求項３】
前記防水パッキングの裏面と前記操作部の表面との間に潤滑剤を介在させたことを特徴とする請求項１または２に記載のスイッチ装置の防水構造。
【発明の詳細な説明】
【技術分野】
【０００１】
本発明は、電気機器に設けたスイッチ装置の防水構造に関する。
【背景技術】
【０００２】
従来、複数のコンセントを備えたテーブルタップに、オン・オフ切り換えするスイッチを設けて、そのスイッチをオフにした場合は電源から供給される電気を各コンセントに供給するのを遮断するようにしたものが知られている（例えば、特許文献１参照）。
【０００３】
このようにテーブルタップにスイッチを設けることにより、各コンセントへの電気供給を一括して管理できるので、例えば外出時等には各コンセントからその都度プラグを抜くことなく電気機器の待機電力の消耗を防ぐことができる等、種々のメリットがある。
【特許文献１】実開昭６１−１２６５８１号公報（第１頁、第１図）
【発明の開示】
【発明が解決しようとする課題】
【０００４】
かかる従来のスイッチ付きテーブルタップには、スイッチを装着した部分での防塵・防水性を確保すべく、当該スイッチの操作部を防水パッキングで覆ったものがある。
【０００５】
このように、スイッチの操作部を防水パッキングで覆う場合、防水パッキングを可撓性の素材で形成するとともに、操作部の表面と防水パッキングとの間に隙間を設けておき、オン・オフに伴って操作部の突出姿勢が変化しても、防水パッキングを介して操作部を押し込み操作できるようにするのが、一般的である。
【０００６】
しかしながら、かかる構造の場合、操作部と防水パッキングとの間に比較的大きな隙間が存在することになるため、操作すべく防水パッキングを押し込む際や、操作に拘わらず防水パッキングに触れた際に、防水パッキングに当たってから操作部に当たるまでの間に、所謂「遊び」が生じる分、操作の違和感を与えるとともに、操作自体がしにくくなったり、オン・オフ状態の識別性が低下したりするという問題があった。
【０００７】
そこで、本発明は、防水パッキングで覆われたスイッチ装置について、防水パッキングに触った際の違和感を少なくし、かつ、操作性をより向上することが可能なスイッチ装置の防水構造を得ることを目的とする。
【課題を解決するための手段】
【０００８】
請求項１の発明にあっては、操作部と当該操作部の中央部を揺動可能に支持するスイッチケースとを有し、操作部の揺動操作に応じてオン・オフされるとともに、ハウジングに形成した取付用開口部から操作部が表面側に露出した状態で設けられるスイッチと、上記操作部の上記取付用開口部から露出した部分を覆うように設けられる可撓性の防水パッキングと、を備え、上記防水パッキングを伸縮性を有する材料で形成し、当該防水パッキングを、自由状態より伸張させ操作部の表面に密着させた状態で装着したことを特徴とする。
【０００９】
請求項２の発明にあっては、上記防水パッキングの中央部に膨出部を設けるとともに、当該膨出部には、当該操作部に形成された角部に対応する隅部を設け、上記膨出部の曲率半径を上記角部の曲率半径より大きくしたことを特徴とする。
【００１０】
請求項３の発明にあっては、上記防水パッキングの裏面と上記操作部の表面との間に潤滑剤を介在させたことを特徴とする。
【発明の効果】
【００１１】
請求項１の発明によれば、伸縮性を有する形成された防水パッキングの中央部がスイッチの操作部で押し出されて、操作部の外側に密接するので、防水パッキングと操作部との間の隙間を無くして防水パッキングの押圧力を直接に操作部に作用させることができるため、スイッチの操作の違和感を減らすとともに、スイッチの操作性を向上することができる。
【００１２】
また、防水パッキングが操作部を覆った部分が、その操作部の外側形状に隙間なく沿うため、防水パッキングを取り付けた状態の外観を向上することができる上、オン・オフ状態の識別性が向上するという利点もある。
【００１３】
請求項２の発明によれば、膨出部の隅部の曲率半径を、操作部の角部の曲率半径よりも大きくしたので、操作部の角部を膨出部の隅部に押し付けた際に、膨出部が操作部の角部に追従して伸張しやすくなり、防水パッキングが操作部の角部で盛り上がり部分や皺を作ることなく、ぴったりと綺麗に覆うことができる。
【００１４】
請求項３の発明によれば、防水パッキングの裏面と操作部の表面との間の潤滑剤により、操作部と防水パッキングとの間の摩擦抵抗力を低減して滑りやすくなるため、オン・オフの切り換え操作をより円滑に行うことができるようになるとともに、防水パッキングによって操作部が引っ張られるのを抑えて、スイッチの操作性を向上することができる。
【発明を実施するための最良の形態】
【００１５】
以下、本発明の実施形態について図面を参照しつつ詳細に説明する。
【００１６】
（第１実施形態）図１〜図６は本発明にかかるスイッチ装置の防水構造の第１実施形態を示し、図１はテーブルタップの斜視図、図２はテーブルタップの分解斜視図であり、図３は図１中Ａ−Ａ線に沿った拡大断面図、図４は防水パッキングの平面図、図５は図４中Ｂ−Ｂ線に沿った断面図、図６はスイッチと防水パッキングの組み付けを（ａ）および（ｂ）に順を追って示す拡大断面図である。
【００１７】
本実施形態のスイッチ装置の防水構造は、図１，図２に示すように、電気機器としてのテーブルタップ１に適用された場合を例にとって説明し、そのテーブルタップ１を説明するにあたって、便宜上、図中上方を上の部材および上方位置、図中下方を下の部材および下方位置および図中左・右方向左・右位置をとして説明するが、特にそれら上・下および左・右の位置関係を特定するものでは無い。
【００１８】
テーブルタップ１は、図１に示すように、外カバー２Ａと外ボディ２Ｂとによって断面略矩形状の中空に形成されるハウジング２を備え、そのハウジング２の上面２ｃに図外のプラグの栓刃差込ユニット３が、ハウジング２の長さ方向に適宜間隔をもって複数（本実施形態では２個）設けられるとともに、ハウジング２の先端面２ｄにも１つの栓刃差込ユニット３が設けられる。
【００１９】
また、ハウジング２の上面２ｃの基端側（図２中向こう側）には、オン・オフ切換用のスイッチ１０が設けられ、このスイッチ１０の切り換えによって電源コード４から供給される電気が、各栓刃差込ユニット３に通電および遮断されるようになっている。
【００２０】
ここで、本実施形態では、スイッチ１０は、防水パッキング２０を設けた防水型スイッチとして提供される。
【００２１】
そして、テーブルタップ１の詳細な内部構造は、図２に示すように、上・下に分割された外カバー２Ａと外ボディ２Ｂとの間に、中ボディ５、刃受け６、栓刃差込ユニット３およびスイッチ１０が内蔵され、電源コード４がハウジング２に挿入される部分には、防水ブッシング７が取り付けられる。
【００２２】
外カバー２Ａは、下方が解放された浅い断面略逆Ｕ字状に形成され、その上面２ｃには、栓刃差込ユニット３の栓刃差込口３ａを上方に臨ませる開口部２Ａａが形成されるとともに、スイッチ１０を嵌め込んで取り付ける取付用開口部２Ａｂが形成される。また、外カバー２Ａの先端面２ｄにも、栓刃差込ユニット３の栓刃差込口３ａを臨ませるＵ字状の切欠部２Ａｃが形成される。
【００２３】
外ボディ２Ｂは、上方が解放された浅い断面略Ｕ字状に形成され、その長さ方向に複数（本実施形態では３本）の組立ネジ８を挿通するネジ取付孔２Ｂａが形成され、そのネジ取付孔２Ｂａに挿通した組立ネジ８を介して外カバー２Ａと外ボディ２Ｂとを結合するようになっている。また、外ボディ２Ｂの先端面２ｄには、外カバー２Ａの切欠部２Ａｃと合わせて矩形状の開口部を形成する切欠部２Ｂｉが形成される。
【００２４】
また、外ボディ２Ｂの内側には、中ボディ５の側壁５ａおよび底面５ｂの外側形状に沿って切欠いたリブ２Ｂｂが長さ方向に複数突設され、それらリブ２Ｂｂによって中ボディ５を安定的に嵌合支持するようになっている。なお、外カバー２Ａの内側にも中ボディ５を嵌合支持する複数のリブが設けられている。
【００２５】
さらに、外カバー２Ａおよび外ボディ２Ｂの基端側の壁面間には、電源コード４を取り込むための切欠き２Ｂｃ（外カバー２Ａの切欠きは隠れている）が形成され、それら切欠き２Ｂｃに電源コード４を挿通した防水ブッシング７の鍔部７ａが嵌合・係止される。
【００２６】
つまり、鍔部７ａは筒状に形成された防水ブッシング７の基部（図２中手前側）に形成されて、その外側形状が略矩形状となり、その鍔部７ａの外周に形成された溝部７ｂが切欠き２Ｂｃの周縁部に嵌め込まれることになる。このとき、外カバー２Ａの切欠きと外ボディ２Ｂの切欠き２Ｂｃとが合わさることにより、鍔部７ａの外側形状に沿った矩形状の開口部となる。
【００２７】
また、外カバー２Ａおよび外ボディ２Ｂの基端側の内側には、切欠き２Ｂｃの中央部近傍に電源コード４の２本のコード４ａ，４ｂを分離させるリブ２Ｂｄが突設（外カバー２Ａにあっても同様）されている。
【００２８】
中ボディ５は、刃受け６を保持するケースで、上方および先端（図中手前側）が解放された断面Ｕ字状に形成され、その内側には刃受け６を嵌合保持するための複数の突起部５ｃが突設されるとともに、底面５ｂの中央部には組立ネジ８を挿通する開口部５ｄが形成されている。
【００２９】
刃受け６は、ハウジング２の幅方向（左右方向）に配置される２本の導電帯板６ａ，６ｂを備え、それら導電帯板６ａ，６ｂのそれぞれの中間部には、プラグの栓刃を弾発力をもって挟み込む刃受けばね６ｃが所定間隔をもって２箇所設けられるとともに、導電帯板６ａ，６ｂのそれぞれの先端部（図２中手前側）には同様の刃受けばね６ｃが１箇所設けられる。
【００３０】
そして、各刃受けばね６ｃは、栓刃差込ユニット３にそれぞれ２箇所設けられた栓刃差込口３ａに配置される。なお、各栓刃差込ユニット３はそれぞれの栓刃差込口３ａに図外の防水扉が開閉自在に設けられて、防水構造となっている。
【００３１】
また、導電帯板６ａ，６ｂの基端部（図２中向こう側）は、スイッチ１０に接続される接続端部６ｄ，６ｅとなっている。
【００３２】
スイッチ１０は、揺動操作される操作部１１と、この操作部１１の中央部を揺動可能に支持するスイッチケース１２とを備え、操作部１１の揺動操作でオン・オフされる、所謂タンブラースイッチを構成しており、ハウジング２の取付用開口部２Ａｂから操作部１１を外方に臨ませて取り付けられる。
【００３３】
スイッチ１０には、図２中向こう側に電源コード４の２本のコード４ａ，４ｂが接続される図外の２つの入力端子と、図２中手前側に突出する２つの出力端子１３ａ，１３ｂが設けられ、操作部１１をオン操作、つまり、突部１１ａが設けられた側を図２に示すように下方に押すことにより、電源コード４から供給される電気を出力端子１３ａ，１３ｂに通電する一方、操作部１１をオフ操作、つまり、突部１１ａが設けられたとは反対側を下方に押すことにより、電源コード４から供給される電気を遮断して、出力端子１３ａ，１３ｂには通電されないようになっている。
【００３４】
出力端子１３ａ，１３ｂは、刃受け６のそれぞれ対応する接続端部６ｄ，６ｅに接続され、スイッチ１０のオン状態で各栓刃差込ユニット３が通電状態になる一方、スイッチ１０のオフ状態で各栓刃差込ユニット３が非通電状態となる。
【００３５】
このように構成されたテーブルタップ１の組み付けは、図２に示すように外ボディ２Ｂに、刃受け６を保持した中ボディ５をセットするとともに、スイッチ１０をセットし、そして、刃受け６の各刃受けばね６ｃにそれぞれ対応する栓刃差込ユニット３を配置する一方、外カバー２Ａの取付用開口部２Ａｂの周縁部内側に防水パッキング２０を仮止めしておき、当該外カバー２Ａをそれらの上方から被せて、組立ネジ８によって外ボディ２Ｂと外カバー２Ａとを結合する。
【００３６】
すると、図３に示すようにスイッチ１０は、外カバー２Ａと外ボディ２Ｂとの間に挟まれた状態で固定されるとともに、防水パッキング２０の周縁部２０ａはスイッチケース１２の上端と取付用開口部２Ａｂの周縁部内側（ハウジング裏面）との間に圧着状態で挟み込まれて、防水パッキング２０が固定される。
【００３７】
もちろん、電源コード４はスイッチ１０に接続した状態で、それに挿通した防水ブッシング７とともに外カバー２Ａと外ボディ２Ｂとの基端部間にセットされる。
【００３８】
防水パッキング２０の周縁部２０ａは、図４に示すように、取付用開口部２Ａｂの開口形状に沿った矩形状を成しており、また、図３にも示すように、防水パッキング２０の周縁部２０ａと取付用開口部２Ａｂの周縁部内側との双方に、相互に密接嵌合する環状凹凸部３０が形成されていて、取付用開口部２Ａｂの周縁部内側（ハウジング裏面）とスイッチケース１２の上端との間で防水パッキング２０の周縁部２０ａが挟み込まれた際に、環状凹凸部３０同士が相互に嵌合されて防水パッキング２０とハウジング２との間でシールが確保されるようになっている。
【００３９】
ここで、本実施形態では、防水パッキング２０を、可撓性および伸縮性に富む材質、例えば、軟質合成樹脂等によって形成し、防水パッキング２０の組み付け時に、図６（ａ）に示すように操作部１１によって防水パッキング２０の中央部を押し出して、図６（ｂ）に示すようにその操作部１１の外側表面に防水パッキング２０を密着させるようになっている。
【００４０】
このとき、図５に示すように、防水パッキング２０の中央部には、操作部１１の操作側の全体形状に略沿って、その操作部１１の突出量ｈ（図３参照）よりも少ない内側高さｄで膨出する膨出部２１が形成されており、防水パッキング２０の組み付け時に操作部１１が膨出部２１を押し出すようになっている。
【００４１】
かかる防水パッキング２０の組み付けにあたっては、まず、図６（ａ）に示すように、防水パッキング２０の周縁部２０ａを外カバー２Ａの取付用開口部２Ａｂの周縁部に仮止めする。そして、この状態でスイッチ１０をセットした外ボディ２Ｂを外カバー２Ａに押し付けると、図６（ｂ）に示すように、操作部１１が防水パッキング２０の膨出部２１を押し出しつつ、防水パッキング２０がその操作部１１の外側表面に密着する。
【００４２】
そして、外カバー２Ａと外ボディ２Ｂとが組立ネジ８によって結合されることにより、スイッチケース１２の上端と取付用開口部２Ａｂの周縁部との間に防水パッキング２０の周縁部２０ａが挟み込まれ、かくして、防水パッキング２０を所定位置に取り付けた状態が得られる。
【００４３】
また、操作部１１によって膨出部２１を押し出して防水パッキング２０を密接させた際、図６（ｂ）に示すように、防水パッキング２０は、その伸縮性によって、操作部１１に形成されたオン操作側の突部１１ａに倣って突出した状態となる。
【００４４】
このように、防水パッキング２０は、自由状態より引き延ばされ、操作部１１の外側表面に密着した状態で、装着されることになる。
【００４５】
また、防水パッキング２０の裏面と操作部１１の表面との間には、潤滑剤Ｓが塗布されるようになっている。
【００４６】
以上の本実施形態によれば、防水パッキング２０を、可撓性および伸縮性を有する材質によって形成し、防水パッキング２０の組み付け時に、操作部１１で防水パッキング２０の中央部を押し出し、以て、防水パッキング２０を、自由状態より伸張させ操作部１１の表面に密着させた状態で装着するようにしたので、防水パッキング２０と操作部１１との間の隙間を無くなる分、防水パッキング２０の押圧力を直接的に操作部に作用させることができるため、スイッチ１０のオン・オフ切り換え時の操作性を向上することができる。
【００４７】
また、防水パッキング２０が操作部１１を覆った部分が、その操作部１１の外側形状に隙間なく沿うため、防水パッキング２０を取り付けた状態の外観を向上することができる。
【００４８】
さらに、防水パッキング２０を操作部１１に密接させた際に、防水パッキング２０の伸縮性により操作部１１に形成されたオン操作側の突部１１ａに倣って突出されるので、防水パッキング２０の外方からスイッチ１０のオン・オフ操作方向を視認によって識別しやすくなり、誤操作を抑制するとともに、スイッチ１０の操作性を向上することができるという利点がある。
【００４９】
また、本実施形態では、防水パッキング２０の中央部に、操作部１１の操作側の全体形状に略沿い、その操作部１１の突出量よりも少ない内側高さ（深さ）で膨出する膨出部２１を形成したので、操作部１１を防水パッキング２０の中央部に押し付けた際に膨出部２１によって操作部１１外側への変形追従性を向上させることができる。
【００５０】
さらに、防水パッキング２０が操作部１１に接触する裏面２０ｂに潤滑剤Ｓを塗布したため、操作部１１と防水パッキング２０との間の摩擦抵抗力が低減して滑りやすくなり、オン・オフの切り換え操作をより円滑に行うことができるようになるとともに、防水パッキング２０によって操作部１１が引っ張られるのを抑えて、スイッチ１０の操作性を向上することができるという利点もある。
【００５１】
（第２実施形態）図７，図８は本発明の第２実施形態を示し、第１実施形態と同一構成部分に同一符号を付して重複する説明を省略して述べるものとし、図７は防水パッキングの平面図、図８は図７中Ｃ−Ｃ線に沿った断面図である。
【００５２】
本実施形態では、図７，図８に示すように、基本的に第１実施形態と同様に、防水パッキング２０Ａは、周縁部２０ａが取付用開口部２Ａｂの開口形状に沿った矩形状を成し、中央部には操作部１１の操作側の全体形状に略沿って、その操作部１１の突出量よりも少ない内側高さで膨出する膨出部２１が形成されるが、特に、本実施形態では、図８に示すように、操作部１１の端部角部１１ｂに対応する膨出部２１の突出側隅部２１ａの曲率半径ｒ１を、当該端部角部１１ｂの曲率半径ｒ０よりも大きくしたことを特徴とするものである。
【００５３】
また、本実施形態にあっても、防水パッキング２０の裏面と操作部１１の表面との間には、潤滑剤Ｓを塗布するのが好適である。
【００５４】
以上の本実施形態によれば、上述したように、操作部１１の端部角部１１ｂに対応する膨出部２１の突出側隅部２１ａの曲率半径ｒ１を、当該端部角部１１ｂの曲率半径ｒ０よりも大きくしたので（すなわちｒ１＞ｒ０）、操作部１１の端部角部１１ｂを膨出部２１の突出側隅部２１ａに押し付けた際に、膨出部２１の突出側隅部２１ａが操作部１１の端部角部１１ｂに追従して伸張しやすくなるため、操作部１１の端部角部１１ｂを膨出部２１の突出側隅部２１ａに押し付けた際に、膨出部２１が操作部１１の端部角部１１ｂに追従して伸張しやすくなるため、防水パッキング２０が操作部１１の端部角部１１ｂで盛り上がり部分や皺を作ることなく、ぴったりと綺麗に覆うことができる。
【００５５】
ところで、本発明は第１，第２実施形態に例をとって説明したが、これら実施形態に限ることなく本発明の要旨を逸脱しない範囲で他の実施形態を各種採用することができる。
【図面の簡単な説明】
【００５６】
【図１】本発明の第１実施形態におけるテーブルタップの斜視図。
【図２】本発明の第１実施形態におけるテーブルタップの分解斜視図。
【図３】図１中Ａ−Ａ線に沿った拡大断面図。
【図４】本発明の第１実施形態における防水パッキングの平面図。
【図５】図４中Ｂ−Ｂ線に沿った断面図。
【図６】本発明の第１実施形態におけるスイッチと防水パッキングの組み付けを（ａ）および（ｂ）に順を追って示す拡大断面図。
【図７】本発明の第２実施形態における防水パッキングの平面図。
【図８】図７中Ｃ−Ｃ線に沿った断面図。
【符号の説明】
【００５７】
２  ハウジング
２Ａｂ  取付用開口部
１０  スイッチ
１１  操作部
１１ｂ  端部角部（角部）
１２  スイッチケース
２０，２０Ａ  防水パッキング
２０ａ  防水パッキングの周縁部
２０ｂ  防水パッキングの裏面
２１  膨出部
２１ａ  突出側隅部（隅部）
Ｓ  潤滑剤
【図１】
2007087830.tif 000003
【図２】
2007087830.tif 000004
【図３】
2007087830.tif 000005
【図４】
2007087830.tif 000006
【図５】
2007087830.tif 000007
【図６】
2007087830.tif 000008
【図７】
2007087830.tif 000009
【図８】
2007087830.tif 000010